(57)【要約】  雄側帯状基部（２１Ａ）、雄部（２１Ｂ）及び雄側鉤部（２１Ｃ）を有する雄部材２１と、雌側帯状基部（２２Ａ）、雄部（２１Ｂ）に係合可能な雌部（２２Ｂ）及び雄側鉤部（２１Ｃ）に係合可能な雌側鉤部（２２Ｃ）を有する雌部材（２２）と、を備える。雄部材（２１）と雌部材（２２）とを係合させた状態において、雌側帯状基部（２２Ａ）の一方の幅方向の長さが雄側帯状基部（２１Ａ）よりも一端側に突出して長く延長され、この延長された雌側帯状基部（２２Ａ）に連続する雌側鉤部（２２Ｃ）の鉤領域が雌側帯状基部（２２Ａ）の延長された側に向いている。
2016114303.tif 000002
【特許請求の範囲】
【請求項１】
雄側帯状基部、前記雄側帯状基部に連続する雄部、及び、前記雄部に並行に設けられ、前記雄側帯状基部に連続する雄側鉤部を有する雄部材と、
雌側帯状基部、前記雌側帯状基部に連続し前記雄部に係合可能な雌部、及び、前記雌部に並行に設けられ、前記雌側帯状基部に連続し前記雄側鉤部に係合可能な雌側鉤部を有する雌部材と、を備え、
前記雄部材と前記雌部材とを係合させた状態において、前記雄側帯状基部又は前記雌側帯状基部の一方の幅方向の長さが、前記雄側帯状基部又は前記雌側帯状基部の他方よりも、幅方向の一端側に突出して長く延長され、
前記幅方向の一端側に突出して長く延長された帯状基部に連続する前記雄側鉤部又は前記雌側鉤部のいずれか一方の鉤領域は、前記延長された帯状基部の延長された側に向いている
ことを特徴とするジッパーテープ。
【請求項２】
請求項１に記載のジッパーテープにおいて、
前記雄部材と前記雌部材とを係合させた状態において、前記雌側帯状基部の幅方向の長さが、前記雄側帯状基部よりも、幅方向の一端側に突出して長く延長された
ことを特徴とするジッパーテープ。
【請求項３】
請求項１又は請求項２に記載のジッパーテープにおいて、
前記雄部材と前記雌部材とは、前記延長された帯状基部の延長された側から、前記雄部及び前記雌部並びに前記雄側鉤部及び前記雌側鉤部をこの順に係合可能に配置された
ことを特徴とするジッパーテープ。
【請求項４】
請求項１から請求項３までのいずれか１項に記載のジッパーテープにおいて、
前記雄部材及び前記雌部材のうちの少なくともいずれか一方に、前記雄側帯状基部及び前記雌側帯状基部のうち少なくとも一方と分離する帯状分離部を有する
ことを特徴とするジッパーテープ。
【請求項５】
請求項４に記載のジッパーテープにおいて、
前記帯状分離部は、前記延長された帯状基部のうち前記雄部又は前記雌部が形成されている側の面に設けられている
ことを特徴とするジッパーテープ。
【請求項６】
請求項４に記載のジッパーテープにおいて、
前記帯状分離部は、前記延長されていない帯状基部のうち前記雄部又は前記雌部が形成されている側の面に設けられている
ことを特徴とするジッパーテープ。
【請求項７】
請求項４に記載のジッパーテープにおいて、
前記帯状分離部は、前記帯状基部が延長されていない側の帯状基部の端部に隣接して設けられている
ことを特徴とするジッパーテープ。
【請求項８】
帯状基部と、前記帯状基部にそれぞれ設けられる雄部及び雌部、並びに雄側鉤部及び雌側鉤部とを備え、前記帯状基部を屈曲させた状態において、前記雄部と前記雌部とが係合可能とされ、前記雄側鉤部と前記雌側鉤部とが係合可能とされている
ことを特徴とするジッパーテープ。
【請求項９】
請求項８に記載のジッパーテープにおいて、
前記帯状基部を屈曲させた状態で、前記雄側鉤部と前記雌側鉤部とは、前記雄部と前記雌部を挟んで前記帯状基部の屈曲領域とは反対側に設けられている
ことを特徴とするジッパーテープ。
【請求項１０】
請求項９に記載のジッパーテープにおいて、
前記雌側鉤部の鉤領域は、前記雌部が設けられた側に向いている
ことを特徴とするジッパーテープ。
【請求項１１】
請求項８から請求項１０までのいずれか１項に記載のジッパーテープにおいて、
前記帯状基部が屈曲された状態で前記帯状基部のうち互いに対向する前記雄部が設けられた部分と前記雌部が設けられた部分との間に前記帯状基部と分離する帯状分離部が設けられている
ことを特徴とするジッパーテープ。
【請求項１２】
請求項１から請求項１１までのいずれか１項に記載のジッパーテープにおいて、
前記雄部及び前記雌部は、複数対設けられている
ことを特徴とするジッパーテープ。
【請求項１３】
請求項１から請求項７までのいずれか１項に記載のジッパーテープにおいて、
前記雄側帯状基部及び前記雌側帯状基部のうちの少なくともいずれか一方は、前記雄部及び前記雌部に並行に設けられた補助部を有している
ことを特徴とするジッパーテープ。
【請求項１４】
請求項８から請求項１２までのいずれか１項に記載のジッパーテープにおいて、
前記帯状基部は、前記雄部及び前記雌部に並行に設けられた補助部を有している
ことを特徴とするジッパーテープ。
【請求項１５】
請求項１３又は請求項１４に記載のジッパーテープにおいて、
前記補助部は、複数対設けられている
ことを特徴とするジッパーテープ。
【請求項１６】
請求項１３から請求項１５までのいずれか１項に記載のジッパーテープにおいて、
前記雄部及び前記雌部は、軟質の樹脂にて形成され、
前記補助部は、硬質の樹脂にて形成されている
ことを特徴とするジッパーテープ。
【請求項１７】
袋本体と、前記袋本体に取り付けられるジッパーテープとを備え、
前記ジッパーテープは、
雄側帯状基部、前記雄側帯状基部に連続する雄部、及び、前記雄部に並行に前記雄側帯状基部に連続する雄側鉤部を有する雄部材と、
雌側帯状基部、前記雌側帯状基部に連続し前記雄部に係合可能な雌部、及び、前記雌部に並行に前記雌側帯状基部に連続し前記雄側鉤部に係合可能な雌側鉤部を有する雌部材と、を備え、
前記雄部材と前記雌部材とを係合させた状態において、前記雄側帯状基部又は前記雌側帯状基部の一方の幅方向の長さが、前記雄側帯状基部又は前記雌側帯状基部の他方よりも、幅方向の一端側に突出して長く延長され、
前記幅方向の一端側に突出して長く延長された帯状基部に連続する前記雄側鉤部又は前記雌側鉤部のいずれか一方の鉤領域は、前記延長された帯状基部の延長された側に向いており、
前記雄部材又は雌部材の延長された基部の延長された部位が前記雄部又は前記雌部のある方の面で、延長されていない他の雄部材又は雌部材が前記雄部又は前記雌部の無い方の面で、前記袋本体に接合している
ことを特徴とするジッパーテープ付袋体。
【請求項１８】
請求項１７に記載のジッパーテープ付袋体において、
前記雄部材と袋本体との接合部分と、前記雌部材と袋本体との接合部分とで挟まれた領域に弱め部分を有する
ことを特徴とするジッパーテープ付袋体。
【請求項１９】
請求項１８に記載のジッパーテープ付袋体において、
前記弱め部分は、前記雄側帯状基部及び前記雌側帯状基部のうちの少なくともいずれか一方に、前記雄側帯状基部及び前記雌側帯状基部のうち少なくとも一方と分離するとともに前記袋本体に取り付けられた帯状分離部を備えた
ことを特徴とするジッパーテープ付袋体。
【請求項２０】
請求項１９に記載のジッパーテープ付袋体において、
前記袋本体は、互いに重ね合わされる基材フィルムを備え、前記基材フィルムの前記ジッパーテープの長手方向の両側に前記基材フィルムが接合された接合部が設けられ、
前記帯状分離部は、前記雄側帯状基部及び前記雌側帯状基部と独立又は一体として設けられ、
前記接合部の少なくともいずれか一方には、前記帯状分離部の一部を含んで構成される開封開始部と、前記開封開始部から前記袋本体を開封する易開封構造とが設けられている
ことを特徴とするジッパーテープ付袋体。
【請求項２１】
請求項２０に記載のジッパーテープ付袋体において、
前記易開封構造は、前記雄側帯状基部及び前記雌側帯状基部のうちの少なくともいずれか一方に対して、穴明部分を設ける構造、又は前記基材フィルムのいずれか一方及び当該基材フィルムに隣接する前記雄側帯状基部及び前記雌側帯状基部のうちの少なくともいずれか一方に弱め線を設ける構造である
ことを特徴とするジッパーテープ付袋体。
【請求項２２】
請求項１７から請求項２１までのいずれか１項に記載のジッパーテープ付袋体において、
前記袋本体は、前記雄部材又は前記雌部材が設けられた部分を挟んで被包装物が収納される部分とは反対側の端部に把持部が設けられている
ことを特徴とするジッパーテープ付袋体。
【請求項２３】
袋本体と、前記袋本体に取り付けられるジッパーテープとを備え、
前記ジッパーテープは、
帯状基部と、前記帯状基部にそれぞれ設けられる雄部及び雌部、並びに雄側鉤部及び雌側鉤部とを備え、前記帯状基部を屈曲させた状態において、前記雄部と前記雌部とが係合可能とされ、前記雄側鉤部と前記雌側鉤部とが係合可能とされ、
前記帯状基部は屈曲した状態で前記袋本体に接合され、
前記帯状基部の前記袋本体に接合していない側に設けられた前記雄側鉤部又は前記雌側鉤部のいずれか一方の鉤領域は、前記帯状基部の屈曲領域に向いている
ことを特徴とするジッパーテープ付袋体。
【請求項２４】
請求項２３に記載のジッパーテープ付袋体において、
前記帯状基部の前記袋本体に接合していない側に前記雌部が設けられている
ことを特徴とするジッパーテープ付袋体。
【請求項２５】
請求項２３又は請求項２４に記載のジッパーテープ付袋体において、
前記帯状基部が屈曲された状態で前記帯状基部のうち互いに対向する前記雄部が設けられた部分と前記雌部が設けられた部分との間に弱め部分を有する
ことを特徴とするジッパーテープ付袋体。
【請求項２６】
請求項２５に記載のジッパーテープ付袋体において、
前記弱め部分は、前記帯状基部と分離するとともに前記袋本体に取り付けられた帯状分離部を備えた
ことを特徴とするジッパーテープ付袋体。
【請求項２７】
請求項２６に記載のジッパーテープ付袋体において、
前記袋本体は、互いに重ね合わされる基材フィルムを備え、前記基材フィルムの前記ジッパーテープの長手方向の両側に前記基材フィルムが接合された接合部が設けられ、
前記帯状分離部は、前記帯状基部と独立又は一体として設けられ、
前記接合部の少なくともいずれか一方には、前記帯状分離部の一部を含んで構成される開封開始部と、前記開封開始部から前記袋本体を開封する易開封構造とが設けられている
ことを特徴とするジッパーテープ付袋体。
【請求項２８】
請求項２７に記載のジッパーテープ付袋体において、
前記易開封構造は、前記帯状基部に対して、穴明部分を設ける構造、又は前記基材フィルムのいずれか一方及び当該基材フィルムに隣接する前記帯状基部に弱め線を設ける構造である
ことを特徴とするジッパーテープ付袋体。
【請求項２９】
請求項２３から請求項２８までのいずれか１項に記載のジッパーテープ付袋体において、
前記袋本体は、前記雄部又は前記雌部が設けられた部分を挟んで被包装物が収納される部分とは反対側の端部に把持部が設けられている
ことを特徴とするジッパーテープ付袋体。
【発明の詳細な説明】
【技術分野】
【０００１】
本発明は、ジッパーテープ及びジッパーテープ付袋体に関する。
【背景技術】
【０００２】
従来、薬品や食品などを包装する袋体において、ジッパーテープが取り付けられた各種袋体が知られている。
このようなジッパーテープ付き袋体において、カットテープにより開封し、雄雌咬合により再封止可能とした構成が知られている（例えば、特許文献１，２）。【０００３】
特許文献１に記載の従来例は、ジッパーテープの帯状基部にカットテープを設けたもので、袋本体のサイドシール部の位置に開封開始部及び易開封構造を設けた構成が採られている。
特許文献２に記載の従来例は、ジッパーテープの帯状基部の端部に、カットテープを剥離可能に設けた構成が採られている。
【先行技術文献】
【特許文献】
【０００４】
【特許文献１】特許第４５２６８８４号公報
【特許文献２】特許第４９０８２２８号公報
【発明の概要】
【発明が解決しようとする課題】
【０００５】
外部からの押圧等による内圧への耐性を向上させる１つの方法として、雄部と雌部との係合状態をより強固とすることが考えられる。
しかしながら、強固に係合させる構成とした場合、被包装物を取り出すため、あるいは被包装物を袋に充填する際に、係合状態を解除するのに大きな力を要し、開封作業が困難となるという課題が生じる。【０００６】
本発明の目的は、高い係合性と易開封性との相反する双方が得られるジッパーテープ及びジッパーテープ付袋体を提供することにある。
【課題を解決するための手段】
【０００７】
本発明のジッパーテープは、雄側帯状基部、前記雄側帯状基部に連続する雄部、及び、前記雄部に並行に設けられ、前記雄側帯状基部に連続する雄側鉤部を有する雄部材と、雌側帯状基部、前記雌側帯状基部に連続し前記雄部に係合可能な雌部、及び、前記雌部に並行に設けられ、前記雌側帯状基部に連続し前記雄側鉤部に係合可能な雌側鉤部を有する雌部材と、を備え、前記雄部材と前記雌部材とを係合させた状態において、前記雄側帯状基部又は前記雌側帯状基部の一方の幅方向の長さが、前記雄側帯状基部又は前記雌側帯状基部の他方よりも、幅方向の一端側に突出して長く延長され、前記幅方向の一端側に突出して長く延長された帯状基部に連続する前記雄側鉤部又は前記雌側鉤部のいずれか一方の鉤領域は、前記延長された帯状基部の延長された側に向いていることを特徴とする。【０００８】
本発明のジッパーテープでは、雄部材と雌部材とを係合させた状態において、延長された帯状基部を有する雄部又は雌部の当該延長された一端側を鉤領域が向く方向に引っ張るとともに、雄部又は雌部の他方を鉤領域が向く方向とは反対側の方向に引っ張る。すると、延長された帯状基部の一端部と、延長されていない帯状基部の他端部とが帯状基部の平面内で互いに離れる方向に力（せん断力）がかかる。これにより、幅方向の一端側に突出して長く延長された帯状基部に連続する雄側鉤部又は雌側鉤部のいずれか一方の鉤領域が前記延長された帯状基部の延長された側に向いているため、互いに係合する雄側鉤部と雌側鉤部との鉤領域同士が強く係合するとともに、雄部及び雌部の係合により、強固な係合状態が得られる。
これに対して、雄部材と雌部材とを係合させた状態において、延長された帯状基部を有する雄部又は雌部の当該延長された一端側と、延長されていない帯状基部の前記延長された一端側と対向する端部とを互いに引っ張り、あるいは、雄部材と雌部材の一方の延長された帯状基部の一端部と、雄部材と雌部材の他方の延長されていない帯状基部の一端部とを互いに離れる方向に引っ張ると、互いに係合する雄部と雌部との係合が解除されるとともに、雄側鉤部と雌側鉤部との鉤領域同士の係合が解除される。これにより、容易に雄部材と雌部材との係合を解除できる。
ここで、「並行に設けられ」とは、雄部と雄側鉤部とがそれぞれ長手方向が交差することなく並んで配置されることをいい、同様に、雌部と雌側鉤部とがそれぞれ長手方向が交差することなく並んで配置されることをいう。つまり、「並行」とは、雄部と雌部とが係合可能とされ、雄側鉤部と雌側鉤部とが係合可能とされるものであれば、厳密な意味での平行に限定されるものではない。【０００９】
本発明のジッパーテープ付袋体は、本発明のジッパーテープの前記雄部材又は雌部材の延長された基部の延長された部位の前記雄部又は前記雌部がある方と、延長されていない他の雄部材又は雌部材の前記雄部又は前記雌部が無い方とが、袋本体に接合している。
即ち、本発明のジッパーテープ付袋体は、袋本体と、前記袋本体に取り付けられるジッパーテープとを備え、前記ジッパーテープは、雄側帯状基部、前記雄側帯状基部に連続する雄部、及び、前記雄部に並行に前記雄側帯状基部に連続する雄側鉤部を有する雄部材と、雌側帯状基部、前記雌側帯状基部に連続し前記雄部に係合可能な雌部、及び、前記雌部に並行に前記雌側帯状基部に連続し前記雄側鉤部に係合可能な雌側鉤部を有する雌部材と、を備え、前記雄部材と前記雌部材とを係合させた状態において、前記雄側帯状基部又は前記雌側帯状基部の一方の幅方向の長さが、前記雄側帯状基部又は前記雌側帯状基部の他方よりも、幅方向の一端側に突出して長く延長され、前記幅方向の一端側に突出して長く延長された帯状基部に連続する前記雄側鉤部又は前記雌側鉤部のいずれか一方の鉤領域は、前記延長された帯状基部の延長された側に向いており、前記雄部材又は雌部材の延長された基部の延長された部位が前記雄部又は前記雌部のある方の面で、延長されていない他の雄部材又は雌部材の前記雄部又は前記雌部の無い方の面で、前記袋本体に接合していることを特徴とする。【００１０】
本発明のジッパーテープ付袋体の、雄部材と雌部材と接合部分で挟まれた領域を切断等により離間させることで、ジッパーテープ付袋体を開封させた後、雄部材と雌部材とを係合させた状態において、被包装物が袋本体内部に収納されていると、延長された帯状基部の一端部と、延長されていない帯状基部の他端部とが帯状基部の平面内で互いに離れる方向に力（せん断力）がかかる。
本発明のジッパーテープ付袋体は、幅方向の一端側に突出して長く延長された帯状基部に連続する前記雄側鉤部又は前記雌側鉤部のいずれか一方の鉤領域が前記延長された帯状基部の延長された側に向いているため、互いに係合する雄側鉤部と雌側鉤部との鉤領域同士が強く係合するとともに、雄部及び雌部の係合により、強固な係合状態が得られる。
これに対して、本発明のジッパーテープ付袋体を開封させる場合は、雄部材と雌部材とを係合させた状態において、延長された帯状基部を有する雄部又は雌部の当該延長された一端側と、延長されていない帯状基部の前記延長された一端側と対向する端部とを互いに引っ張り、あるいは、雄部材と雌部材の一方の延長された帯状基部の一端部と、雄部材と雌部材の他方の延長されていない帯状基部の一端部とを互いに離れる方向に引っ張るため、互いに係合する雄部と雌部との係合が解除されるとともに、雄側鉤部と雌側鉤部との鉤領域同士の係合が容易に解除される。
本発明のジッパーテープ付袋体は、ジッパーテープが袋本体の側面を構成する一方の壁面に接合しているため、雄部材と雌部材との係合を解かずに被包装物を袋本体に充填させた後、袋本体の上端部を接合させ、被包装物をジッパーテープ付袋体に封止することができる。【００１１】
本発明では、前記雄部材と前記雌部材とを係合させた状態において、前記雌側帯状基部の幅方向の長さが、前記雄側帯状基部よりも、幅方向の一端側に突出して長く延長された構成が好ましい。
この構成では、雌側帯状基部の延長された部分を引っ張ることで、雄側帯状基部と雌側帯状基部とに確実に力（せん断力）を生じさせて、高い封止性を得ることができる。【００１２】
本発明では、前記雄部材と前記雌部材とは、前記延長された帯状基部の延長された側から、前記雄部及び前記雌部並びに前記雄側鉤部及び前記雌側鉤部をこの順に係合可能に配置された構成が好ましい。
この構成により、本発明のジッパーテープの雄部材又は雌部材の延長された基部の延長された部位の雄部又は雌部がある方と、延長されていない他の雄部材又は雌部材の雄部又は雌部が無い方とが袋本体に接合することができ、雄部材と雌部材との係合を解かずに被包装物を袋本体に充填させた後、袋本体の上端部を接合させ、被包装物をジッパーテープ付袋体に封止することができる。【００１３】
本発明では、前記雄部材及び前記雌部材のうちの少なくともいずれか一方に、前記雄側帯状基部及び前記雌側帯状基部のうち少なくとも一方と分離する帯状分離部を有する構成とすることもできる。
この構成とすることでジッパーテープ付袋体を長手方向に沿って、直線的に引裂かれるように、その引裂き方向を一定の方向性をもって誘導することができる。
ここで、雄側帯状基部及び雌側帯状基部の少なくともいずれか一方からの帯状分離部の分離とは、これらの帯状基部と帯状分離部との界面の界面剥離、帯状分離部の凝集剥離、帯状分離部の層間剥離、さらには、帯状基部の一部を破壊や切断して分離する破断等を含むが、帯状分離部の帯状基部からの剥離面の切りかす低減の点から、帯状基部と帯状分離部との界面の界面剥離、帯状分離部の層間剥離が好ましく、樹脂構成の設計の観点から帯状基部と帯状分離部との界面の界面剥離が特に好ましい。
帯状分離部と雄側帯状基部との接合あるいは帯状分離部と雌側帯状基部との接合は、例えば、接着剤による方法、共押出成形等による一体成型による方法等により達成される。
この構成では、雄部材又は雌部材を取り付けるための被取付材に帯状分離部を設けることで、この帯状分離部とともに被取付材が雄部材又は雌部材から剥がれることになる。そのため、被取付材の帯状分離部に沿った破断を容易に行うことができる。帯状分離部と帯状基部との接合は、特に、ジッパーテープ付袋体を引裂いて袋を開封する際の開封感にムラをなくし、一定の開封感を得る観点からは、共押出成形等による一体成型による方法が特に好ましい。【００１４】
本発明では、前記帯状分離部は、前記延長された帯状基部のうち前記雄部又は雌部が形成されている側の面に設けられている構成とすることもできる。
この構成では、帯状分離部が帯状基部から分離しやすくなり、さらに、帯状分離部に帯状基部を設ける場合の成形安定性を向上させることができる。【００１５】
本発明では、前記帯状分離部は、前記延長されていない帯状基部のうち前記雄部又は前記雌部が形成されている側の面に設けられている構成とすることもできる。
この構成では、帯状分離部に帯状基部を設ける場合の成形安定性を向上させることができる。【００１６】
本発明では、前記帯状分離部は、前記帯状基部が延長されていない側の帯状基部の端部に隣接して設けられている構成とすることもできる。
ここで、帯状基部の端部に隣接しているとは、帯状基部の端面に連続して帯状分離部に設けられていることや、帯状基部の雄部又は雌部が形成されていない側の面に隣接し、帯状分離部の端面が帯状基部の端面より雄部又は雌部が設けられていない側に突出して設けられている場合を含む。
この構成では、帯状分離部の一部を含んで構成された開封開始部を設ける場合、この開封開始部の加工が容易となる。【００１７】
本発明では、前記雄部及び前記雌部は、複数対設けられている構成とすることもできる。
この構成では、雄部と雌部との係合を強固なものにでき、より高い封止性が得られる。【００１８】
本発明では、前記雄側帯状基部及び前記雌側帯状基部のうちの少なくともいずれか一方は、前記雄部及び前記雌部に並行に設けられた補助部を有している構成とすることもできる。
この構成では、互いに係合する雄部及び雌部に大きな力が作用し、雄部及び雌部が変形して係合が解除してしまうことを、補助部が雌部に当接することで、防止し、より高い封止性が得られる。【００１９】
本発明では、前記補助部は、複数対設けられている構成とすることもできる。
この構成では、雄部と雌部を補強するための効果が大きなものとなり、より高い封止性を得ることができる。【００２０】
本発明では、前記雄部及び前記雌部は、軟質の樹脂にて形成され、前記補助部は、硬質の樹脂にて形成されている構成とすることもできる。
この構成では、雄部及び雌部よりも補助部が硬いので、雄部及び雌部が変形しても、補助部によって、雄部と雌部との係合状態が確実に維持される。【００２１】
本発明のジッパーテープ付袋体は、前記雄部材と袋本体との接合部分と、前記雌部材と袋本体との接合部分とで挟まれた領域に弱め部分を備えた構成が好ましい。
この構成により、雄部材と雌部材との係合を解かずに被包装物を袋本体に充填し、充填後に当該弱め部分を切断等により離間させることで、本発明のジッパーテープ付袋体を開封させることができる。
ここで、弱め部分とは、袋本体を開封するための機構であれば、特に限定されず、例えば、袋本体に設けた切り取り線、袋本体の開封時の切断を誘導する薄肉部、袋本体を引裂く引裂き紐、帯状分離部等を好適に用いることができる。
弱め部分として、帯状分離部を用いる場合は、帯状分離部の袋本体と接する面に融点の低い樹脂からなるヒートシール層を設けたり、接着剤層を設けたりすることで、袋本体と接合でき、ジッパーテープ付袋体の開封時に帯状分離部と袋本体との間で剥離が生じてしまうことを有効に回避できる。
また、帯状分離部は雄部材及び前記雌部材のうちの少なくともいずれか一方に、前記雄側帯状基部及び前記雌側帯状基部のうち少なくとも一方に設けた構成とすることもできるが、雄部材及び前記雌部材と接合せず、独立して設けることもできる。
本発明のジッパーテープ付袋体では、雄部材と袋本体との接合部分と、雌部材と袋本体との接合部分とで挟まれた領域に設けられた弱め部分を切断等して、袋本体を開封する。そのため、開封時に袋本体の上端部分が切断等されないから、袋本体の上端部分に、例えば、商標を印刷したり、把持部等を設けたりすることができ、袋本体の上端部分を有効に活用できる。特に、被包装物として液体や紛体等、ドッグフード等の粒状体を収納した場合には、袋本体の上端部分に把持部を設けることで、被包装物の運搬が容易となる。
特に、本発明のジッパーテープ付袋体の、雄部材と雌部材と接合部分で挟まれた領域を切断等により離間させることで、ジッパーテープ付袋体を開封させ、雄部材と雌部材とを係合させた後、被包装物を袋本体内部に収納した状態で、前記把持部を持つと延長された帯状基部の一端部と、延長されていない帯状基部の他端部とが帯状基部の平面内で互いに離れる方向に力（せん断力）がかかるが、幅方向の一端側に突出して長く延長された帯状基部に連続する前記雄側鉤部又は前記雌側鉤部のいずれか一方の鉤領域が前記延長された帯状基部の延長された側に向いているため、互いに係合する雄側鉤部と雌側鉤部との鉤領域同士が強く係合するとともに、雄部及び雌部の係合により、強固な係合状態が得られ、運搬時に雄部材と雌部材との係合が解除されることを好適に抑制できる。
ここで、把持部は手で持つことができれば、形態は特に限定されるものではなく、例えば、１以上の孔状の持ち手を上端に設けることや、袋本体の上端部分に紐を通して持ち手とすること、袋上端部に樹脂又は金属等でできた持ち手部材を接合させること等で好適に持ち手を作ることができる。【００２２】
本発明のジッパーテープ付袋体では、前記弱め部分は、前記雄側帯状基部及び前記雌側帯状基部のうちの少なくともいずれか一方に、前記雄側帯状基部及び前記雌側帯状基部のうち少なくとも一方と分離するとともに前記袋本体に取り付けられた帯状分離部を備えた構成が好ましい。
この構成では、袋本体に帯状分離部が設けられているので、帯状分離部が雄部材又は雌部材から剥がれる際に、帯状分離部の長手方向に沿って袋本体が帯状に引き裂かれる。袋本体の帯状に引き裂かれた部分に沿って開口される。そして、雄部材と雌部材とを外し、被包装物を袋本体から取り出す。これにより、袋本体の開封を容易に行うことができる。
ここで、前述の通り、帯状基部からの帯状分離部の分離とは、帯状基部と帯状分離部との界面の界面剥離、帯状分離部の凝集剥離、帯状分離部の層間剥離、さらには、帯状基部の一部を破壊や切断して分離する破断等を含む。
なお、帯状分離部と帯状基部とは、独立して設けられていても構わないが、ジッパーテープ付袋体の製造効率の改善の観点から、帯状分離部は帯状基部に接合して設けられていてもよい。この場合、帯状分離部と帯状基部との接合は、例えば、接着剤による方法、共押出成形等による一体成型による方法等により達成される。ジッパーテープ付袋体を引裂いて袋を開封する際の開封感にムラをなくし、一定の開封感を得る観点からは、帯状分離部と帯状基部との接合は共押出成形等による一体成型による方法が特に好ましい。【００２３】
本発明のジッパーテープ付袋体では、前記袋本体は、互いに重ね合わされる基材フィルムを備え、前記基材フィルムの前記ジッパーテープの長手方向の両側に前記基材フィルムが接合された接合部が設けられ、前記帯状分離部は、前記雄側帯状基部及び前記雌側帯状基部と独立又は一体として設けられ、前記接合部の少なくともいずれか一方には、前記帯状分離部の一部を含んで構成される開封開始部と、前記開封開始部から前記袋本体を開封する易開封構造とが設けられている構成が好ましい。
この構成では、開封開始部から帯状分離部で袋本体を引き裂き開封する場合であっても、帯状分離部と接する雄側帯状基部や雌側帯状基部や一方の基材フィルムを引きちぎる必要がなくなり、小さな力で開封を実施することができる。【００２４】
本発明のジッパーテープ付袋体では、前記易開封構造は、袋本体を引き裂き開封することを容易にする構造であれば、特に限定されないが、例えば、前記接合部において、雄側帯状基部及び前記雌側帯状基部のうちの少なくともいずれか一方に対して、穴明部分を設ける構造、又は前記基材フィルムのいずれか一方及び当該基材フィルムに隣接する前記雄側帯状基部及び前記雌側帯状基部のうちの少なくともいずれか一方に弱め線を設ける構造とすることで袋本体を引き裂き開封することを容易にできる。【００２５】
本発明のジッパーテープ付袋体では、前記袋本体は、前記雄部材又は前記雌部材が設けられた部分を挟んで被包装物が収納される部分とは反対側の端部に把持部が設けられている構成が好ましい。
この構成では、袋本体を把持する把持部があるので、重い被包装物が収納されたジッパーテープ付袋体を落とすことなく、持つことができる。【００２６】
本発明のジッパーテープは、帯状基部と、前記帯状基部にそれぞれ設けられる雄部及び雌部、並びに雄側鉤部及び雌側鉤部とを備え、前記帯状基部を屈曲させた状態において、前記雄部と前記雌部とが係合可能とされ、前記雄側鉤部と前記雌側鉤部とが係合可能とされていることを特徴とする。【００２７】
本発明のジッパーテープでは、雄部と雌部とを係合させ、かつ、雄側鉤部と雌側鉤部とを係合させた状態において、帯状基部の雄部又は雌部の一方が設けられた部分を雄側鉤部又は雌側鉤部の一方の鉤領域が向く方向に引っ張るとともに、雄部又は雌部の他方が設けられた部分を前記鉤領域が向く方向とは反対側の方向に引っ張る。すると、雄側鉤部と雌側鉤部との鉤領域同士が強く係合するとともに、雄部及び雌部の係合により、強固な係合状態が得られる。
これに対して、前述とは逆方向に帯状基部を引っ張り、あるいは、帯状基部の屈曲された領域の近い箇所を互いに離れる方向に引っ張ると、雄部と雌部との係合が解除されるとともに、雄側鉤部と雌側鉤部との鉤領域同士の係合が解除される。
本発明では、帯状基部を雄側と雌側との２種類設けることを要しないので、ジッパーテープを製造する際の部品点数を減少させることができる。
なお、本発明のジッパーテープにおいて、前記帯状基部を屈曲した箇所を向いた前記鉤領域を有する鉤部と反対側の鉤部が設けられた帯状基部の領域が袋体のフィルムに接合可能であることが好ましい。【００２８】
本発明のジッパーテープ付袋体は、袋本体と、前記袋本体に取り付けられるジッパーテープとを備え、前記ジッパーテープは、帯状基部と、前記帯状基部にそれぞれ設けられる雄部及び雌部、並びに雄側鉤部及び雌側鉤部とを備え、前記帯状基部を屈曲させた状態において、前記雄部と前記雌部とが係合可能とされ、前記雄側鉤部と前記雌側鉤部とが係合可能とされ、前記帯状基部は屈曲した状態で前記袋本体に接合され、前記帯状基部の前記袋本体に接合していない側に設けられた前記雄側鉤部又は前記雌側鉤部のいずれか一方の鉤領域は、前記帯状基部の屈曲領域に向いていることを特徴とする。【００２９】
本発明のジッパーテープ付袋体では、ジッパーテープ付袋体を開封させた後、雄部と雌部とを係合させ、かつ、雄側鉤部と雌側鉤部とを係合させた状態において、被包装物が袋本体内部に収納されていると、帯状基部の屈曲領域を境に互いに対向される部分に互いに離れる方向の力（せん断力）がかかる。
本発明では、屈曲領域には、帯状基部の屈曲した点だけでなく、前記帯状基部の屈曲により湾曲した領域一体が含まれる。
本発明のジッパーテープ付袋体では、帯状基部の袋本体に接合していない側に設けられた雄側鉤部又は雌側鉤部のいずれか一方の鉤領域が帯状基部の屈曲領域に向いている。そのため、帯状基部の屈曲領域を境に互いに対向する部分に働く力によって、雄側鉤部と雌側鉤部との鉤領域同士が強く係合するとともに、雄部と雌部との係合により、強固な係合状態が得られる。
これに対して、雄部と雌部とを係合させ、かつ、雄側鉤部と雌側鉤部とを係合させた状態において、本発明のジッパーテープ付袋体を開封させるには、帯状基部のうち屈曲領域に近い部分を互いに引っ張ると、雄部と雌部との係合が解除されるとともに、雄側鉤部と雌側鉤部との鉤領域同士の係合が容易に解除される。
本発明のジッパーテープ付袋体は、ジッパーテープが袋本体の側面を構成する一方の壁面に接合しているため、雄部と雌部との係合並びに雄側鉤部と雌側鉤部との係合を解かずに被包装物を袋本体に充填させた後、袋本体の上端部を接合させ、被包装物をジッパーテープ付袋体に封止することができる。【００３０】
本発明では、前記帯状基部を屈曲させた状態で、前記雄側鉤部と前記雌側鉤部とは、前記雄部と前記雌部を挟んで前記帯状基部の屈曲領域とは反対側に設けられている構成とすることもできる。【００３１】
本発明では、前記雌側鉤部の鉤領域は、前記雌部が設けられた側に向いている構成とすることもできる。
この構成により、前記雌部が設けられた帯状基部の領域が袋体のフィルムに接合された後、被包装物が袋本体内部に収納されることにより生じたせん断力に対し、雄側鉤部と雌側鉤部との鉤領域同士が強く係合できるため、強固な係合状態が得られる。【００３２】
本発明では、前記帯状基部が屈曲された状態で前記帯状基部のうち互いに対向する前記雄部が設けられた部分と前記雌部が設けられた部分との間に前記帯状基部と分離する帯状分離部が設けられている構成とすることもできる。
この構成とすることで、ジッパーテープ付袋体を長手方向に沿って、直線的に引裂かれるように、その引裂き方向を一定の方向性をもって誘導することができる。
ここで、帯状基部からの帯状分離部の分離とは、前述の通り、界面剥離、凝集剥離、層間剥離、さらには、破断等を含む。
帯状分離部と雌側帯状基部との接合は、例えば、接着剤による方法、共押出成形等による一体成型による方法等により達成される。【００３３】
本発明では、前記帯状基部は、前記雄部及び前記雌部に並行に設けられた補助部を有している構成とすることもできる。
この構成では、互いに係合する雄部及び雌部に大きな力が作用した場合、雄部及び雌部が変形すると補助部に当接するため、雄部及び雌部が変形して係合が解除してしまうことが防止され、より高い封止性が得られる。【００３４】
本発明では、前記帯状基部の前記袋本体に接合していない側に前記雌部が設けられている構成とすることもできる。
この構成では、帯状基部のうち雄部及び雌部より屈曲領域に近接する部分を互いに離隔すると、袋本体が接合されていない雌部が容易に変形することになり、雄部と雌部との会合が容易に解除される。【００３５】
本発明では、前記帯状基部が屈曲された状態で前記帯状基部のうち互いに対向する前記雄部が設けられた部分と前記雌部が設けられた部分との間に弱め部分を有する構成とすることもできる。
この構成により、雄部と雌部との係合並びに雄側鉤部と雌側鉤部との係合を解かずに被包装物を袋本体に充填し、充填後に当該弱め部分を切断等により離間させることで、本発明のジッパーテープ付袋体を開封させることができる。
ここで、弱め部分とは、袋本体を開封するための機構であれば、特に限定されず、例えば、袋本体に設けた切り取り線、袋本体の開封時の切断を誘導する薄肉部、袋本体を引裂く引裂き紐、帯状分離部等を好適に用いることができる。【００３６】
本発明では前記弱め部分は、前記帯状基部と分離するとともに前記袋本体に取り付けられた帯状分離部を備えた構成とすることもできる。
この構成では、袋本体に帯状分離部が設けられているので、帯状分離部が帯状基部から剥がれる際に、帯状分離部の長手方向に沿って袋本体が帯状に引き裂かれる。袋本体の帯状に引き裂かれた部分に沿って開口される。そして、雄材と雌部との係合を解除し、雄側鉤部と雌側鉤部との係合を解除して、被包装物を袋本体から取り出す。これにより、袋本体の開封を容易に行うことができる。
ここで、帯状基部からの帯状分離部の分離とは、前述の通りであり、帯状基部と帯状分離部との界面の界面剥離、帯状分離部の凝集剥離、帯状分離部の層間剥離、さらには、帯状基部の一部を破壊や切断して分離する破断等を含む。【００３７】
本発明では、前記袋本体は、互いに重ね合わされる基材フィルムを備え、前記基材フィルムの前記ジッパーテープの長手方向の両側に前記基材フィルムが接合された接合部が設けられ、前記帯状分離部は、前記帯状基部と独立又は一体として設けられ、前記接合部の少なくともいずれか一方には、前記帯状分離部の一部を含んで構成される開封開始部と、前記開封開始部から前記袋本体を開封する易開封構造とが設けられている構成とすることもできる。
この構成では、開封開始部から帯状分離部で袋本体を引き裂き開封する場合であっても、帯状分離部と接する帯状基部や一方の基材フィルムを引きちぎる必要がなくなり、小さな力で開封を実施することができる。【００３８】
本発明では、前記易開封構造は、前記帯状基部に対して、穴明部分を設ける構造、又は前記基材フィルムのいずれか一方及び当該基材フィルムに隣接する前記帯状基部に弱め線を設ける構造とすることで袋本体を引き裂き開封することを容易にできる。【００３９】
本発明では、前記袋本体は、前記雄部又は前記雌部が設けられた部分を挟んで被包装物が収納される部分とは反対側の端部に把持部が設けられている構成とすることもできる。
この構成では、袋本体を把持する把持部があるので、重い被包装物が収納されたジッパーテープ付袋体を落とすことなく、持つことができる。
【図面の簡単な説明】
【００４０】
【図１】本発明の第一実施形態にかかるジッパーテープ付袋体の正面図。
【図２】ジッパーテープ付袋体の要部断面図。
【図３】雄部材と雌部材との係合状態を示す断面図。
【図４Ａ】ジッパーテープ付袋体の一部を示す斜視図。
【図４Ｂ】開封開始部の要部を示す斜視図。
【図５】雄部と雌部とを外す状態を示す要部断面図。
【図６】被包装物が収納された状態のジッパーテープ付袋体の断面図。
【図７】雄部と雌部との係合状態を示す要部断面図。
【図８】本発明の第二実施形態にかかるジッパーテープ付袋体の要部断面図。
【図９】被包装物が収納された状態のジッパーテープ付袋体の断面図。
【図１０】本発明の第三実施形態にかかるジッパーテープ付袋体の要部断面図。
【図１１】図１０とは異なる形状のジッパーテープ付袋体の要部断面図。
【図１２】本発明の第四実施形態にかかるジッパーテープ付袋体の雄部材と雌部材との係合状態を示す断面図。
【図１３】本発明の第五実施形態にかかるジッパーテープ付袋体の正面図。
【図１４】開封開始部付近の構成を示す模式図。
【図１５】本発明の第五実施形態にかかるジッパーテープ付袋体の正面図。
【図１６】開封開始部付近の構成を示す模式図。
【図１７】本発明の第七実施形態にかかるジッパーテープ付袋体の要部断面図。
【図１８】本発明の第八実施形態にかかるジッパーテープ付袋体の要部断面図。
【図１９】本発明の第九実施形態にかかるジッパーテープ付袋体の要部断面図。
【図２０】本発明の第十実施形態にかかるジッパーテープ付袋体の要部断面図。
【発明を実施するための形態】
【００４１】
本発明の実施形態を図面に基づいて説明する。ここで、各実施形態の説明において、同一構成要素は同一符号を付して説明を省略もしくは簡略にする。なお、本発明のジッパーテープ及びジッパーテープ付袋体は、下記の実施形態に限定されるものではない。
［第一実施形態］
図１から図７には第一実施形態のジッパーテープ付袋体が示されている。
第一実施形態では、ジッパーテープ付袋体として、食品、薬品、医療品、文具、雑貨などの各種物品を包装する袋体を例示するが、用途はこれらに限定されるものではない。
【００４２】
（ジッパーテープ付袋体の基本構造）
図１にはジッパーテープ付袋体１の正面が示されている。
図１において、ジッパーテープ付袋体１は、平面視で矩形状とされ被包装物Ｐ（図６参照）を収納可能な袋本体１０と、袋本体１０の内面に接合、例えばヒートシールされたジッパーテープ２０と、を備えている。本実施形態では、袋本体１０がジッパーテープ２０の被取付材である。
【００４３】
（袋本体の構成）
袋本体１０は、基材フィルム１１Ａ，１１Ｂ（図１では、１１Ａのみ示す）が重ね合わされ、重なり合う両縁に一対のサイドシール部１２が形成されている。重ね合わされた基材フィルム１１Ａ，１１Ｂのサイドシール部１２とは直交する端縁部にトップシール部１３が形成されている。本実施形態では、袋本体１０のトップシール部１３とは反対側の端縁にボトムシール部１４が形成されている。
袋本体１０のトップシール部１３よりボトムシール部１４側にジッパーテープ２０がトップシール部１３の端縁と平行に取り付けられている。
トップシール部１３には把持部として孔状の持ち手１３Ａが２つ設けられている。
持ち手１３Ａは、基材フィルム１１Ａ，１１Ｂに形成された平面長円状の孔部である。なお、孔部の形状は平面長円状に限定されるものではなく、平面円形、平面矩形状、平面三角形状等であってもよく、孔の数も１以上で好適に把持することができる。
【００４４】
基材フィルム１１Ａ，１１Ｂとしては、例えば、（直鎖状）低密度ポリエチレン（Linear Low Density Polyethylene：ＬＬＤＰＥ）、ポリプロピレン（Polypropylene：ＰＰ）などの熱可塑性樹脂にて形成された単層又は多層のフィルムを利用できる。多層のフィルムとしては、表基材に、二軸延伸したポリプロピレン（Oriented Polypropylene：ＯＰＰ）、二軸延伸ポリエチレンテレフタレート（ＯＰＥＴ）、二軸延伸ナイロン（ＯＮｙ）、キャストポリプロピレン（Cast Polypropylene：ＣＰＰ）などを用いることができる。なお、多層フィルムとして、いわゆるガスバリアーや遮光などの目的で、アルミニウム蒸着やアルミニウム箔の積層など、無機系の層を備えた構成としてもよい。
また、基材フィルム１１Ａ，１１Ｂは、包装袋用材料であれば特に限定されないが、例えば厚み寸法が１０μｍ以上２００μｍ以下であることが好ましい。厚み寸法が１０μｍ未満であると、シール強度、袋強度が弱くなる場合がある。一方、厚み寸法が２００μｍを超えると、袋の開封がしにくくなる場合がある。
【００４５】
（ジッパーテープの構成）
ジッパーテープ２０の要部断面が図２に示されている。
図１及び図２に示される通り、ジッパーテープ２０は、互いに係脱可能とされた雄部材２１及び雌部材２２を備えている。
雄部材２１と雌部材２２とは、ともに基材フィルム１１Ａの内側面にヒートシールや接着等の適宜な方法で接合されている。
雄部材２１は、長尺状の雄側帯状基部２１Ａと、雄側帯状基部２１Ａに連続する雄部２１Ｂと、雄部２１Ｂに並行であって雄側帯状基部２１Ａに連続する雄側鉤部２１Ｃとを有する。
雄側帯状基部２１Ａは、一方の平面が基材フィルム１１Ａと接合される接合面とされ、基材フィルム１１Ａと接合される面とは反対側の面に雄部２１Ｂと雄側鉤部２１Ｃとがそれぞれ突出して形成されている。これらの雄部２１Ｂ及び雄側鉤部２１Ｃは、それぞれ雄側帯状基部２１Ａの長手方向（図２の紙面貫通方向）に沿って形成されている。雄側鉤部２１Ｃは雄部２１Ｂよりトップシール部１３より離れた位置（ボトムシール部１４に近い位置）に設けられている。
【００４６】
雌部材２２は、長尺状の雌側帯状基部２２Ａと、雌側帯状基部２２Ａから突出して設けられ雄部２１Ｂと係脱可能な雌部２２Ｂと、雌側帯状基部２２Ａから突出して設けられ雄側鉤部２１Ｃと係脱可能な雌側鉤部２２Ｃとを有する。
雄部材２１と雌部材２２とを係合させた状態において、雌側帯状基部２２Ａの一方の幅方向（トップシール部１３へ向かう方向）の長さは、雄側帯状基部２１Ａの一方の幅方向の長さより長く、雌側帯状基部２２Ａの他方の幅方向（ボトムシール部１４へ向かう方向）の長さは、雄側帯状基部２１Ａの他方の幅方向の長さと同じである。つまり、雌側帯状基部２２Ａは雄側帯状基部２１Ａよりも、幅方向の一端側に突出して長く延長されている。
【００４７】
雌側帯状基部２２Ａの延長された部分のうち一端側部は雌側帯状基部２２Ａが雄側帯状基部２１Ａと接合された基材フィルム１１Ａと接合される接合面とされる。基材フィルム１１Ａと接合される面と同じ面に雌部２２Ｂと雌側鉤部２２Ｃとがそれぞれ突出して形成されている。
これらの雌部２２Ｂ及び雌側鉤部２２Ｃは、それぞれ雌側帯状基部２２Ａの長手方向（図２の紙面貫通方向）に沿って形成されている。雌側鉤部２２Ｃは雌部２２Ｂよりトップシール部１３より離れた位置に設けられている。雌側帯状基部２２Ａのうち雌部２２Ｂ及び雌側鉤部２２Ｃが突出した面とは反対側の面は、基材フィルム１１Ｂとは接合されていない。
【００４８】
雌側帯状基部２２Ａのうち基材フィルム１１Ａとの接合面と雌部２２Ｂとの間には、雌側帯状基部２２Ａと分離し基材フィルム１１Ａに取り付けられた帯状分離部としてのカットテープ５が設けられている。ここで、雌側帯状基部２２Ａからのカットテープ５の分離とは、雌側帯状基部２２Ａとカットテープ５との境界の界面剥離、カットテープ５の凝集剥離、カットテープ５の層間剥離等を含む。カットテープ５と雌側帯状基部２２Ａとの接合は、例えば、接着剤による方法、共押出成形等による一体成型による方法等により達成される。
カットテープ５は、袋本体１０の平面視で、雄部材２１と袋本体１０との接合部分と、雌部材２２と袋本体１０との接合部分とで挟まれた領域に設けられた弱め部分であり、雌側帯状基部２２Ａと分離した際には、基材フィルム１１Ａをジッパーテープ２０の長手方向と平行に破断するものである。
基材フィルム１１Ａと雌側帯状基部２２Ａとの重合部分のうちカットテープ５に近い端縁とカットテープ５の一端縁との間及びカットテープ５の他端縁と雄側帯状基部２１Ａのトップシール部１３側の端縁との間には、それぞれ空隙部Ｓが形成されていてもよい。これにより、ジッパーテープ２０と袋本体１０とを接合する際に発生する溶融樹脂が側方に広がっても、空隙部Ｓがあるので、カットテープ５とジッパーテープ２０とが一体化してしまうことの防止が期待できる。そのため、カットテープ５とともに袋本体１０の基材フィルム１１Ａを容易に切断することができる。なお、空隙部Ｓの寸法は特に限定されないが、例えば、０．５ｍｍ以上５．０ｍｍ以下の範囲であれば、好適に上記の効果を奏することが期待される。
【００４９】
図３には、雄部材２１と雌部材２２との係合状態が示されている。
図３において、雄部２１Ｂは、雄側帯状基部２１Ａの平面から壁状に突出する首領域２１Ｂ１と、首領域２１Ｂ１から雄側帯状基部２１Ａの幅方向の一側（図３の上方）に向けて長手方向に沿って突出し断面三角形状の爪領域２１Ｂ２と、首領域２１Ｂ１から雄側帯状基部２１Ａの幅方向の他側に向けて長手方向に沿って突出し断面が釣り針形状の鉤領域２１Ｂ３とを有する。
雄側鉤部２１Ｃは、雄部２１Ｂの鉤領域２１Ｂ３が突出する方向に突出し、断面が釣り針形状の雄側鉤領域２１Ｃ１を有する。雄側鉤領域２１Ｃ１はボトムシール部１４（図３の下方）に向いて形成されている。
【００５０】
雌部２２Ｂは、雌側帯状基部２２Ａの平面から壁状に突出する一対の突出領域２２Ｂ１と、突出領域２２Ｂ１から互いに折り返すように内側に向けて突出する断面釣り針形状の鉤領域２２Ｂ２とを有する。
雌側鉤部２２Ｃは、雌部２２Ｂの鉤領域２２Ｂ２が突出する方向に突出し、断面が釣り針形状の雌側鉤領域２２Ｃ１を有している。雌側鉤領域２２Ｃ１は雄側鉤領域２１Ｃ１とは反対側、つまり、雌側帯状基部２２Ａの延長された側（図３の上方）に向いて形成されている。
雄部２１Ｂの爪領域２１Ｂ２は、雌部２２Ｂのボトムシール部１４側（図３の下方）に向けて突出する鉤領域２２Ｂ２に係脱可能な構成となっている。また、雄部２１Ｂの鉤領域２１Ｂ３は、雌部２２Ｂの鉤領域２２Ｂ２に係脱可能な構成となっている。
【００５１】
雄部２１Ｂの爪領域２１Ｂ２は、首領域２１Ｂ１から突出する先端点Ｍが爪領域２１Ｂ２の断面三角形状の首領域２１Ｂ１に面する底面の垂線上に位置する。先端点Ｍにおける雄側帯状基部２１Ａの平面に平行な水平線Ｌに対して爪領域２１Ｂ２の斜辺Ｎのなす角θは、不用意な開封を防止しつつ、開封性が損なわれることを防止して係合解除時の良好な手感触を提供するために、０°以上９０°未満の鋭角である。
【００５２】
このようなジッパーテープ２０は、例えばポリオレフィン系樹脂を用いて形成されている。なお、ジッパーテープ２０は、長手方向に対して折り曲げることで、その状態を保持する形状保形性を有するように形成してもよい。
ポリオレフィン系樹脂としては、例えば、低密度ポリエチレン又は直鎖状低密度ポリエチレンなどのポリエチレン系樹脂、ポリプロピレン系樹脂が好ましい。特に、伸びにくいポリプロピレン系樹脂が好ましい。ポリプロピレン系樹脂としては、ホモポリプロピレン（Ｈ−ＰＰ）、ブロックポリプロピレン（Ｂ−ＰＰ）、ランダムポリプロピレン（Ｒ−ＰＰ）、プロピレン−エチレン−ブテン１ランダム三元共重合体などが利用できる。
【００５３】
図１において、サイドシール部１２のうちジッパーテープ２０の長手方向の両側は接合部１２０とされている。これらの接合部１２０のうち一方（図１では左側）には、タブ状の開封開始部６１と、開封開始部６１から袋本体１０を引き裂き開封する方向に隣接した易開封構造としての弱め線６２とが設けられている。
カットテープ５は、その一端部が開封開始部６１に配置され、他端が他方の接合部１２０に配置される。
カットテープ５は、延伸したポリエチレンテレフタレート（ＯＰＥＴ）、延伸したポリプロピレン（ＯＰＰ）、延伸した高密度ポリエチレン（ＨＤＰＥ）等から構成されるようにすればよい。
【００５４】
図４Ａ及び図４Ｂには開封開始部付近の構成が示されている。図４Ａには、ジッパーテープ付袋体１の一部が示され、図４Ｂには、開封開始部の要部が示されている。
図４Ａ及び図４Ｂにおいて、開封開始部６１は、カットテープ５の一部と、基材フィルム１１Ａ，１１Ｂと及び雌側帯状基部２２Ａにそれぞれ形成されたＣ形形状の切込部分６０とを有する。ここで、開封開始部６１において、切込部分６０の形状は特に制限はなく、Ｃ形形状に加えて、半円形状の任意の形状とすることができる。
【００５５】
基材フィルム１１Ａの切込部分６０と、カットテープ５の一部と、雌側帯状基部２２Ａの切込部分６０と、基材フィルム１１Ｂの切込部分６０とが積層接着等されており、これらにより開封開始部６１が形成されることになる。
接合部１２０において、サイドシール部１２を貫通して開封開始部６１が形成されるように、基材フィルム１１Ａ、基材フィルム１１Ｂ、カットテープ５、雌側帯状基部２２Ａを貫通したカット処理が施されると同時に、弱め線６２が形成されるように、基材フィルム１１Ｂと雌側帯状基部２２Ａをカットするハーフカット処理が施されている。つまり、カット処理は、複数のフィルムが積層されて形成される袋体の全てのフィルムを貫通させるのに対し、ハーカット処理は、複数のフィルムが積層されて形成される袋体の一部のフィルムをカットすることである。
弱め線６２は、ジッパーテープ付袋体１のハーフカット処理することにより形成されるものであり、切込部分６０と隣接又は隙間を介して配置されるものであれば、その形状は特に限定されない。
開封開始部６１を摘んでカットテープ５を引っ張ることにより、カットテープ５によって基材フィルム１１Ａが直線状に引き裂かれる。この際、基材フィルム１１Ｂには弱め線６２が形成されているため、引き裂かれる際に、弱め線６２のハーフカットされた部分が破断され、その破断された基材フィルム１１Ｂの残り６２Ａが開封開始部６１に付着する。
カットテープ５と基材フィルム１１Ａとはヒートシールや接着剤を用いる等の方法により互いに接合させることで、ジッパーテープ付袋体１の開封時にカットテープ５と基材フィルム１１Ａとの間で剥離が生じることを回避できる。
前記カット処理で生じる切込部分６０と前記ハーフカット処理で生じる弱め線６２とは隣接して配置されていても良く、切込部分６０と弱め線６２との間に隙間を介して配置されていても良い。第一実施形態では、弱め線６２は、平面が切込部分６０と連続した円弧状に形成されている。
開封開始部６１を掴んでジッパーテープ付袋体１を開封する際に、当該隙間を形成するジッパーテープ付袋体１のフィルムが容易にちぎれることで、ジッパーテープ付袋体１を小さな力で開封することが期待できる。
【００５６】
（ジッパーテープ付袋体の使用方法）
次に、第一実施形態のジッパーテープ付袋体１の使用方法を図５から図７に基づいて説明する。
まず、使用者がこのジッパーテープ付袋体１から被包装物を最初に取り出すにあっては、開封開始部６１の先端を引っ張る。開封開始部６１を引っ張ると、基材フィルム１１Ａ、カットテープ５、雌側帯状基部２２Ａ及び基材フィルム１１Ｂが同時に引っ張られることになる。すると、カットテープ５が雌側帯状基部２２Ａから剥離されるとともに、ジッパーテープ付袋体１の基材フィルム１１Ａがカットテープ５により直線状に破断される。
【００５７】
図５には雄部材２１と雌部材２２とを外す状態が示されている。図５において、袋本体１０に予め収納された被包装物を取り出すため、あるいは、袋本体１０に被包装物を新たに収納するために、雄側帯状基部２１Ａと雌側帯状基部２２Ａとの幅方向の一側の縁（図５の上端縁）を互いに離間する矢印方向に引っ張る。
これにより、雄部２１Ｂの爪領域２１Ｂ２及び雌部２２Ｂの鉤領域２２Ｂ２が外れる方向に移動され、爪領域２１Ｂ２の先端及び雄部２１Ｂの先端が雌部２２Ｂの鉤領域２２Ｂ２の先端を滑動する。
同様に、雄側鉤部２１Ｃの雄側鉤領域２１Ｃ１と雌側鉤部２２Ｃの雌側鉤領域２２Ｃ１とが外れる方向に移動されて外れ、小さな力で容易に開封できる。
【００５８】
図６には雄部材２１と雌部材２２とが係合され、かつ、被包装物が収納された状態のジッパーテープ付袋体１が示されている。
被包装物Ｐが収納されたジッパーテープ付袋体１を持ち手１３Ａで把持すると、被包装物Ｐの重さにより、雄部材２１に重力が働く下方に力が働き、雌部材２２に上方に向く力が働く。
これにより、図７の想像線に示される通り、雌側帯状基部２２Ａの上端部と、雄側帯状基部２１Ａの下端部とに帯状基部の平面内で互いに離れる方向に力（せん断力）がかかる。すると、雌側帯状基部２２Ａと雄側帯状基部２１Ａとに力がかかるため、互いに係合する雄側鉤部２１Ｃと雌側鉤部２２Ｃとの鉤領域同士が強く係合する（図７の想像線参照）。さらに、雄部２１Ｂの鉤領域２１Ｂ３と雌部２２Ｂの鉤領域２２Ｂ２とが強く係合する。つまり、雄部材２１及び雌部材２２の係合により、強固な係合状態が得られ、ジッパーテープ２０が誤って開放されにくい。
【００５９】
（第一実施形態の効果）
（１）雄部材２１と雌部材２２とを係合させた状態において、雌側帯状基部２２Ａの一方の幅方向の長さが雄側帯状基部２１Ａよりも一端側に突出して長く延長され、この延長された雌側帯状基部２２Ａに連続する雌側鉤部２２Ｃの鉤領域が雌側帯状基部２２Ａの延長された側に向いている構成とした。そのため、雌側帯状基部２２Ａの延長された一端側を鉤領域が向く方向に引っ張るとともに、雄部材２１の雄側帯状基部２１Ａを逆方向に引っ張ると、雌側帯状基部２２Ａと雄側帯状基部２１Ａとが帯状基部平面内で互いに離れる方向にせん断力がかかる。従って、互いに係合する雄側鉤部２１Ｃと雌側鉤部２２Ｃとの鉤領域同士が強く係合するとともに、雄部２１Ｂ及び雌部２２Ｂの係合により、強固な係合状態が得られる。これに対して、雌側帯状基部２２Ａと雄側帯状基部２１Ａとの一端部同士を互いに離れる方向に引っ張ると、雄部２１Ｂと雌部２２Ｂとの係合が解除されるとともに、雄側鉤部２１Ｃと雌側鉤部２２Ｃとの鉤領域同士の係合が解除される。
【００６０】
（２）雌側帯状基部２２Ａの延長された部分に対して雄側鉤部２１Ｃ及び雌側鉤部２２Ｃが雄部２１Ｂ及び雌部２２Ｂより離れて配置されているため、当該延長された部分を引っ張った際に、雌側帯状基部２２Ａの面内からずれたとしても、雄側鉤部２１Ｃと雌側鉤部２２Ｃとは面内で確実に係合する力が働くことになり、強固な係合状態が得られる。
【００６１】
（３）雌部材２２に雌側帯状基部２２Ａと分離する帯状分離部としてカットテープ５を設けたから、カットテープ５とともに袋本体１０の基材フィルム１１Ａが雌部材２２から剥がれるので、カットテープ５が取り付けられる袋本体１０、その他の被取付材の破断を容易に行うことができる。
【００６２】
（４）カットテープ５は、雌側帯状基部２２Ａのうち雌部２２Ｂが形成されている側の面に設けられているから、カットテープ５が雌側帯状基部２２Ａから分離しやすくなり、さらに、カットテープ５を雌側帯状基部２２Ａに設ける場合の成形安定性を向上させることができる。
【００６３】
（５）被包装物Ｐを収納可能な袋本体１０に前述の構成のジッパーテープ２０を取り付けたから、ジッパーテープ付袋体１を持つと、被包装物Ｐの重さにより、雌側帯状基部２２Ａの延長された一端側に鉤領域が向く方向に引っ張られるとともに、雄部２１Ｂを鉤領域が向く方向とは反対側の方向に引っ張られるので、ジッパーテープ２０が誤って開放されることがなくなり、袋が強固に係合される。
【００６４】
（６）袋本体１０に前述の構成のジッパーテープ２０を取り付けたから、袋本体１０の開封を容易に行うことができる。
【００６５】
（７）基材フィルム１１Ａ，１１Ｂの接合部１２０の一方に、カットテープ５の一部を含んで構成される開封開始部６１と、開封開始部６１から袋本体１０を引き裂き開封する方向に隣接した易開封構造とが設けられているので、カットテープ５で袋本体１０を引き裂き開封する場合であっても、カットテープ５と接する雄側帯状基部２１Ａや雌側帯状基部２２Ａを引きちぎる必要がなくなり、小さな力で開封を実施することができる。
【００６６】
（８）易開封構造は、基材フィルム１１Ｂに設けられた弱め線６２であるため、易開封構造を簡易な構成で実現できる。
【００６７】
（９）袋本体１０の端部に持ち手１３Ａが設けられているので、重い被包装物Ｐが収納されたジッパーテープ付袋体１を落とすことなく、持つことができる。
【００６８】
（１０）雄部２１Ｂの爪領域２１Ｂ２は、首領域２１Ｂ１から突出する先端点Ｍが首領域２１Ｂ１から突出する当該爪領域の底面の垂線上に位置し、かつ、先端点Ｍにおける雄側帯状基部２１Ａの平面に平行な平行線に対して当該爪領域の斜辺のなす角θが鋭角であるため、雄部２１Ｂ及び雌部２２Ｂの係合を爪領域２１Ｂ２が突出する側から解除する際、雄側帯状基部２１Ａ及び雌側帯状基部２２Ａを離間する方向に移動させると、雄側帯状基部２１Ａが大きく屈曲する状態となる。そのため、雄部２１Ｂの鉤領域２１Ｂ３と雌部２２Ｂの鉤領域２２Ｂ２との係合を、強く設定して係合性を高めたとしても、爪領域２１Ｂ２が突出する側から係合を解除する場合には、断面が鋭角三角形となる爪領域２１Ｂ２が雌部２２Ｂの鉤領域２２Ｂ２を乗り超えるようにして外れることとなり、容易に係合を解除できる。したがって、高い係合性と易開封性との相反する双方の特性を提供できる。
【００６９】
［第二実施形態］
図８及び図９には本発明の第二実施形態が示されている。
第二実施形態は、第一実施形態とは袋本体の形状が異なるもので、他の構成は第一実施形態と同じである。
図８は第二実施形態にかかるジッパーテープ付袋体の要部を示し、図９は被包装物が収納された状態のジッパーテープ付袋体の断面を示す。
図８において、ジッパーテープ付袋体２は、被包装物Ｐを収納する袋本体１６と、袋本体１６の内面に接合されたジッパーテープ２０と、を備えている。
【００７０】
袋本体１６は、ジッパーテープ２０の幅方向に沿った両側に、折り線により内方に織り込まれる対向した一対の側面部１６Ａを有するガゼット形状である。
袋本体１６は基材フィルム１１Ａ，１１Ｂを備えて構成されており、このうち基材フィルム１１Ａに第一実施形態のジッパーテープ２０が取り付けられている。
第二実施形態では、袋本体１６にはトップシール部が設けられておらず、基材フィルム１１Ａ，１１Ｂの上端部には、それぞれ紐状の取手部１６Ｂが取り付けられている。なお、第二実施形態では、後述する第七実施形態や第八実施形態で示される通り、突出部２３３やガイド部材２３４を雌側帯状基部２２Ａに設けるものでもよい。
【００７１】
以上の構成のジッパーテープ付袋体２では、図９に示される通り、袋本体１６に被包装物Ｐが収納されると、雄側帯状基部２１Ａの下端部に下方に向かう力が働き、雌側帯状基部２２Ａの延長された部分である上端部に上方に向かう力が働く。この状態では、第一実施形態と同様に、雌側帯状基部２２Ａと雄側帯状基部２１Ａとに力（せん断力）がかかるため、互いに係合する雄側鉤部２１Ｃと雌側鉤部２２Ｃとの鉤領域同士が強く係合する。
【００７２】
第二実施形態では、第一実施形態の（１）〜（１０）と同様の効果を奏することができる他、次の効果を奏することができる。
（１１）袋本体１６をガゼット折りにした形状としたので、袋本体１６の収納スペースが大きくなり、多くの被包装物Ｐを収納することができる。
【００７３】
［第三実施形態］
図１０及び図１１には本発明の第三実施形態が示されている。
第三実施形態は、第一実施形態とはカットテープ５の取付位置が異なるもので、他の構成は第一実施形態と同じである。
図１０において、ジッパーテープ付袋体３は、袋本体１０と、袋本体１０の内面に接合されたジッパーテープ２０と、袋本体１０に設けられたカットテープ５とを備えている。
【００７４】
第三実施形態では、カットテープ５は、雄側帯状基部２１Ａのトップシール部１３側（図１０の上方）の端縁に隣接して設けられている。カットテープ５は、雄側帯状基部２１Ａとともに基材フィルム１１Ａの内面に接合されている。カットテープ５の一端部に第一実施形態の開封開始部６１と同様の開封開始部が設けられている。第三実施形態の開封開始部はカットテープ５の一部と基材フィルム１１Ａとで形成される。
なお、第三実施形態では、図１１に示される通り、カットテープ５の一端部が雄側帯状基部２１Ａの端部の下に入り込む構成であってもよい。
【００７５】
第三実施形態では、第一実施形態の（１）（２）（５）〜（１０）と同様の効果を奏することができる他、次の効果を奏することができる。
（１２）カットテープ５は、帯状基部が延長されていない側である雄側帯状基部２１Ａの端部に隣接して設けられているから、カットテープ５に開封開始部６１を設ける場合、この開封開始部６１の加工が容易となる。
【００７６】
［第四実施形態］
図１２には本発明の第四実施形態が示されている。
第四実施形態は、第一実施形態とは雄部材及び雌部材の構成が異なるもので、他の構成は第一実施形態と同じである。
図１２において、ジッパーテープ付袋体４は、袋本体１０と、袋本体１０の内面に接合されたジッパーテープ７０とを備えている。なお、図１２では、袋本体１０の基材フィルム１１Ａのみを図示しており、カットテープ５の図示を省略している。
ジッパーテープ７０は、互いに係脱可能とされた雄部材７１及び雌部材７２を備えている。
【００７７】
雄部材７１と雌部材７２とは、第一実施形態の雄部材２１と雌部材２２と同様に、基材フィルム１１Ａの内側面にヒートシールや接着等の適宜な方法で接合されている（図２参照）。
雄部材７１は、雄側帯状基部２１Ａと、雄側帯状基部２１Ａに連続する２つの雄部２１Ｂと、雄部２１Ｂに並行であって雄側帯状基部２１Ａに連続する雄側鉤部２１Ｃと、雄側帯状基部２１Ａに連続し雄部２１Ｂの間に配置される補助部７１Ａとを有する。
雌部材７２は、雌側帯状基部２２Ａと、雌側帯状基部２２Ａから突出して設けられた２つの雌部２２Ｂと、雌側帯状基部２２Ａから突出して設けられた雌側鉤部２２Ｃとを有する。
【００７８】
補助部７１Ａは、隣合う雌部２２Ｂの間に配置されているものであり、断面が台形状である。なお、補助部７１Ａの断面形状は、台形状に限定されるものではなく、他の形状、例えば、矩形状であってもよい。
補助部７１Ａは、雌部２２Ｂの変形を阻止するものであり、雌部２２Ｂが変形した際に、雌部２２Ｂに当接する。
図１２では、補助部７１Ａが１つのみ配置されているが、第四実施形態では、補助部７１Ａを複数配置するものでもよい。補助部７１Ａの配置される位置は雌部２２Ｂの近傍であればよい。
【００７９】
第四実施形態では、第一実施形態の（１）〜（１０）と同様の効果を奏することができる他、次の効果を奏することができる。
（１３）雄部２１Ｂ及び雌部２２Ｂは、複数対設けられているから、開封時の力が大きくなることなく、雄部２１Ｂと雌部２２Ｂとの係合を強固なものにでき、開封性をあまり損なわずに、より高い係合性が得られる。
【００８０】
（１４）雄側帯状基部２１Ａには、雌部２２Ｂが変形した際に当接可能に設けられた補助部７１Ａが雄部２１Ｂに並列に設けられているから、雄部２１Ｂ及び雌部２２Ｂに大きな力が作用して雄部２１Ｂ及び雌部２２Ｂが変形しようとしても、その変形を補助部７１Ａで阻止される。そのため、雄部２１Ｂと雌部２２Ｂとが変形して外れることが防止されることになり、より高い係合性が得られる。
【００８１】
（１５）補助部７１Ａが複数対設けられると、雄部２１Ｂと雌部２２Ｂを補強するための効果が大きなものとなり、より高い係合性を得ることができる。
【００８２】
［第五実施形態］
図１３及び図１４には本発明の第五実施形態が示されている。
第五実施形態は、第一実施形態とは易開封構造の構成が異なるもので、他の構成は第一実施形態と同じである。
図１３において、ジッパーテープ付袋体５Ａは、袋本体１０と、袋本体１０の内面に接合されたジッパーテープ２０とを備えている。
袋本体１０のサイドシール部１２のうちジッパーテープ２０の長手方向の両側は、接合部１２０とされている。
接合部１２０には、開封開始部６１と、開封開始部６１から袋本体１０を引き裂き開封する方向に隣接した易開封構造としての穴明部分６３とが設けられている。
【００８３】
図１４において、開封開始部６１は、第一実施形態と同様に、Ｃ形形状の切込部分６０を有するものであり、切込部分６０により開封開始部６１が形成される。
穴明部分６３は、雌側帯状基部２２Ａに形成された切込部分６０と連続しており、その形状は、円形である。なお、穴明部分６３の形状は円形に限定されるものではなく、楕円形、矩形、三角形、その他の形状であってもよい。
第五実施形態では、第一実施形態と同様の作用効果を奏することができる。
【００８４】
［第六実施形態］
図１５及び図１６には本発明の第六実施形態が示されている。
第六実施形態は、第一実施形態とは弱め線の形状が異なるもので、他の構成は第一実施形態と同じである。
図１５において、ジッパーテープ付袋体５Ｂは、袋本体１０と、袋本体１０の内面に接合されたジッパーテープ２０とを備えている。
接合部１２０には、開封開始部６１と、開封開始部６１から袋本体１０を引き裂き開封する方向に隣接した易開封構造としての弱め線６２とが設けられている。
【００８５】
図１６において、開封開始部６１は、第一実施形態と同様に、Ｃ形形状の切込部分６０を有する。
開封開始部６１が形成されるように、基材フィルム１１Ａ、基材フィルム１１Ｂ、カットテープ５、雌側帯状基部２２Ａを貫通したカット処理が施されている。弱め線６２が形成されるように、雌側帯状基部２２Ａと基材フィルム１１Ｂとをカットするハーフカット処理が施されている。
第六実施形態では、弱め線６２は、第一実施形態とは異なり、切込部分６０の開口端に対向した直線であり、切込部分６０から離れて配置されている。なお、弱め線６２を切込部分６０と連続して形成したものでもよい。
第六実施形態では、第一実施形態と同様の作用効果を奏することができる。
【００８６】
［第七実施形態］
図１７には本発明の第七実施形態が示されている。
第七実施形態は、第一実施形態とは帯状基部の構成が異なるもので、他の構成は第一実施形態と同じである。
図１７において、ジッパーテープ付袋体５Ｃは、袋本体１０と、袋本体１０に取り付けられるジッパーテープ８０とを備えて構成される。
ジッパーテープ８０は、帯状基部２３と、帯状基部２３にそれぞれ設けられる雄部２１Ｂ及び雌部２２Ｂ、並びに雄側鉤部２１Ｃ及び雌側鉤部２２Ｃとを備えている。
第七実施形態は、第一実施形態とは異なり、帯状基部２３は、１つの部材から形成されており、帯状基部２３を屈曲して形成された屈曲領域２３０と、屈曲領域２３０にそれぞれ接続された雄側板部２３１及び雌側板部２３２とを備える。雄側板部２３１と雌側板部２３２とは互いに対向配置されている。ここで、屈曲領域２３０は、帯状基部２３の湾曲した点だけでなく、雄側板部２３１と雌側板部２３２とを接続する湾曲部分を含む。
【００８７】
雄側板部２３１の雌側板部２３２に対向する部分には、雄部２１Ｂと雄側鉤部２１Ｃとが形成され、雌側板部２３２の雄側板部２３１に対向する部分には、雌部２２Ｂと雌側鉤部２２Ｃとが形成されている。なお、図１７では、雄部２１Ｂと雌部２２Ｂとは互いに係合され、かつ、雄側鉤部２１Ｃと雌側鉤部２２Ｃとが互いに係合されている状態が示されているが、これらの係合は解除可能である。
雄側鉤部２１Ｃと雌側鉤部２２Ｃとは、雄部２１Ｂ及び雌部２２Ｂを挟んで屈曲領域２３０とは反対側、つまり、帯状基部２３の開口端側に配置されている。
雌側鉤部２２Ｃの鉤領域は、雌部２２Ｂが設けられた側、つまり、屈曲領域２３０に向いており、雄側鉤部２１Ｃの鉤領域は、雄部２１Ｂが設けられた側とは反対側に向いている。
【００８８】
帯状基部２３のうち雄側板部２３１は基材フィルム１１Ａに接合されており、雌側板部２３２は、基材フィルム１１Ｂに接合されることなく、袋本体１０の内部に露出される。
雄側板部２３１のうち雌側板部２３２と対向する面には、帯状分離部としてのカットテープ５が設けられている。
カットテープ５と帯状基部２３との接合は、例えば、接着剤による方法、共押出成形等による一体成型による方法等により達成される。
【００８９】
雄側板部２３１に形成された突出部２３３は、カットテープ５が基材フィルム１１Ａと雄側板部２３１とを切断した袋本体１０を開封する際に、カットテープが基材フィルム１１Ａ等を引き裂く方向を正常な方向に修正するためのものである。つまり、突出部２３３は、雄側板部２３１に比べて厚肉としている。これにより、たとえ、基材フィルム１１Ａ等の引き裂かれる方向が曲がってしまい、雄側板部２３１の一部が引き裂かれてしまったとしても、突出部２３３によって、雄側板部２３１がそれ以上引き裂かれてしまうのを防ぐとともに、基材フィルム１１Ａの引き裂き方向を、正常な方向に戻すことができるようにしてある。
突出部２３３の形状は上記目的を達成できるものであれば、特に限定されない。図１７では、突出部２３３の形状が半円状に形成されているが、矩形状に形成されるものでもよい。また、図１７では、突出部２３３はカットテープ５のボトムシール側に設けられているが、カットテープ５のトップシール側に設けられるものでもよい。さらに、突出部２３３の数は、１つに限定されるものではなく、カットテープ５の両側に沿って２つ配置されるものでもよい。さらに、図１７では、突出部２３３の高さ寸法は、カットテープ５の厚み寸法より小さいが、突出部２３３の高さ寸法とカットテープ５の厚み寸法とを同じにしてもよく、カットテープ５の厚み寸法が突出部２３３の高さ寸法より小さいものであってもよい。また、カットテープ５には、突出部２３３とは反対側の端縁に、その長手方向沿ってガイド部材（図示せず）を設けてもよい。なお、ガイド部材に用いる樹脂材料は、帯状基部２３と異なるものであってもよい。
ここで、帯状基部２３からのカットテープ５の分離には、帯状基部２３及び基材フィルム１１Ａの一部をカットテープ５の幅寸法Ｗに沿って、破壊や切断して分離する破断を含む。
【００９０】
接合部１２０には、カットテープ５の一部を含んで構成される開封開始部６１と、開封開始部６１から袋本体１０を開封する易開封構造としての穴明部分６３又は弱め線６２が設けられている（図１４及び図１６参照）。
図１７では、雄部２１Ｂ及び雌部２２Ｂは、一対図示されているが、第七実施形態では、雄部２１Ｂ及び雌部２２Ｂが複数対設けられるものでもよい。
さらに、雄部２１Ｂ及び雌部２２Ｂに並行に補助部（図示せず）を帯状基部２３に設ける構成としてもよい。これにより、互いに係合する雄部２１Ｂ及び雌部２２Ｂに大きな力が作用し、雄部２１Ｂ及び雌部２２Ｂが変形して係合が解除してしまうことを、補助部が雌部２２Ｂに当接することで、防止できる。
【００９１】
次に、第七実施形態のジッパーテープ付袋体５Ｃの使用方法を説明する。
まず、使用者がこのジッパーテープ付袋体５Ｃから被包装物を最初に取り出すにあっては、ジッパーテープ付袋体５Ｃをカットテープ５により直線状に破断する。
袋本体１０に予め収納された被包装物を取り出すため、あるいは、袋本体１０に被包装物を新たに収納するために、帯状基部２３のうちカットテープ５で破断された部分の両側端縁を互いに離間する方向に引っ張る。これにより、雄部２１Ｂの爪領域及び雌部２２Ｂの鉤領域が外れる方向に移動される。同様に、雄側鉤部２１Ｃの雄側鉤領域と雌側鉤部２２Ｃの雌側鉤領域とが外れる方向に移動されて外れ、小さな力で容易に開封できる（図５参照）。
【００９２】
被包装物が収納されたジッパーテープ付袋体５Ｃを持ち手１３Ａで把持すると、被包装物の重さにより、雄側板部２３１に重力が働く下方に力が働き、雌側板部２３２に上方に向く力が働く。これにより、雌側板部２３２の上端部と、雄側板部２３１の下端部とに帯状基部２３の平面内で互いに離れる方向に力（せん断力）がかかる。すると、互いに係合する雄側鉤部２１Ｃと雌側鉤部２２Ｃとの鉤領域同士が強く係合し、雄部２１Ｂの鉤領域２１Ｂ３と雌部２２Ｂの鉤領域２２Ｂ２とが強く係合する。
【００９３】
従って、第七実施形態では、第一実施形態、その他の実施形態と同様の効果を奏することができる他、次の効果を奏することができる。
（１６）帯状基部２３に雄部２１Ｂ及び雌部２２Ｂ、並びに雄側鉤部２１Ｃ及び雌側鉤部２２Ｃをそれぞれ設け、帯状基部２３を屈曲させた状態において、雄部２１Ｂと雌部２２Ｂとが係合可能とされ、雄側鉤部２１Ｃと雌側鉤部２２Ｃとが係合可能とされているから、第一実施形態と同様に、高い係合性と易開封性との相反する双方が得られる他、帯状基部を雄側と雌側との２種類設けることを要しないので、ジッパーテープを製造する際の部品点数を減少させることができる。
【００９４】
［第八実施形態］
図１８には本発明の第八実施形態が示されている。
第八実施形態は、第一実施形態とはカットテープ５の取付位置が異なるもので、他の構成は第一実施形態と同じである。
図１８において、ジッパーテープ付袋体５Ｄは、袋本体１０と、袋本体１０に取り付けられるジッパーテープ２０とを備え、ジッパーテープ２０は、互いに係脱可能とされた雄部材２１及び雌部材２２を備えている。
雄部材２１の雄側帯状基部２１Ａのうち雌側帯状基部２２Ａに対向する部分にカットテープ５が設けられている。カットテープ５は、雄部２１Ｂを挟んで雄側鉤部２１Ｃとは反対側に配置されている。
カットテープ５は雄側帯状基部２１Ａから分離するものであり、雄側帯状基部２１Ａからのカットテープ５の分離には、雄側帯状基部２１Ａ及び基材フィルム１１Ａの一部を破壊や切断して分離する破断を含む。
基材フィルム１１Ａと雌側帯状基部２２Ａとの重合部分のうちカットテープ５に近い端縁とカットテープ５の一端縁との間には、空隙部Ｓが形成されていてもよい。この空隙部Ｓにより、ジッパーテープ２０と袋本体１０とを接合する際に発生する溶融樹脂が側方に広がっても、カットテープ５とジッパーテープ２０とが一体化してしまうことがなく、カットテープ５とともに袋本体１０を容易に切断することができる。空隙部Ｓの寸法は限定されないが、例えば、０．５ｍｍ以上５．０ｍｍ以下とすることで、好適に上記効果を得ることが期待できる。
なお、第八実施形態においても、雄側帯状基部２１Ａ又は雌側帯状基部２２Ａに突出部２３３を形成するものでもよい。さらに、カットテープ５には、突出部２３３とは反対側の端縁に、その長手方向沿ってガイド部材２３４を設けてもよい。突出部２３３とガイド部材２３４により、カットテープ５を雄側帯状基部２２Ａから直線上に分離することができる。なお、ガイド部材２３４に用いる樹脂材料は、帯状基部２３と異なるものであってもよい。
第八実施形態の突出部２３３は、第七実施形態と同様に、その形状や取付位置は限定されるものではない。
第八実施形態では、第一実施形態と同様の効果を奏することができる。
【００９５】
［第九実施形態］
図１９には本発明の第九実施形態が示されている。
第九実施形態は、第一実施形態とは、雄側帯状基部２１Ａと雌側帯状基部２２Ａとに厚肉部を設けた点が異なるもので、他の構成は第一実施形態と同じである。
図１９において、ジッパーテープ付袋体５Ｅは、袋本体１０と、袋本体１０に取り付けられるジッパーテープ２０Ｅとを備え、ジッパーテープ２０Ｅは、互いに係脱可能とされた雄部材２１Ｅ及び雌部材２２Ｅを備えている。
雄部材２１Ｅは、雄側帯状基部２１Ａのトップシール部１３側の端部に独立又は一体に形成された第一厚肉部２１１を備えている。第一厚肉部２１１は、雄側帯状基部２１Ａの他の部分より厚く形成されており、基材フィルム１１Ａに接合されている。
【００９６】
雌部材２２Ｅは、雌側帯状基部２２Ａのトップシール部１３側の端部に独立又は一体に形成された第二厚肉部２２１を備えている。第二厚肉部２２１は、雌側帯状基部２２Ａの他の部分より厚く形成されており、基材フィルム１１Ａに接合されている。
雌側帯状基部２２Ａのうち第二厚肉部２２１と雌部２２Ｂとの間にカットテープ５が設けられている。
第一厚肉部２１１と第二厚肉部２２１との断面形状は、図１９では、矩形状であるが、本実施形態に限定されるものではなく、矩形状の他、例えば、三角形状や五角形状等の多角形状、凹面形状、凸面形状等の曲面形状等でも好適に用いることができる。
カットテープ５と第一厚肉部２１１との間及びカットテープ５と第二厚肉部２２１との間には、空隙部Ｓが形成されている。そのため、ジッパーテープ２０Ｅと袋本体１０とを接合する際に発生する溶融樹脂が側方に広がっても、空隙部Ｓがあるので、カットテープ５とジッパーテープ２０Ｅとが一体化してしまうことを防止できる。
【００９７】
第九実施形態では、第一実施形態と同様の効果を奏することができる他、次の効果を奏することができる。
（１７）雄側帯状基部２１Ａに第一厚肉部２１１を形成したので、カットテープ５が基材フィルム１１Ａを引き裂く際に、基材フィルム１１Ａの引き裂かれる方向が雄部２１Ｂ側に向かってしまうことの防止が期待できる。また、第一厚肉部２１１があることで、雄側帯状基部２１Ａの接合の基材フィルム１１Ａへの接合を効率的に行うことも期待できる。
（１８）雌側帯状基部２２Ａに第二厚肉部２２１を形成したので、カットテープ５が基材フィルム１１Ａを引き裂く際に、基材フィルム１１Ａの引き裂かれる方向がトップシール部１３側に向かってしまうことの防止が期待できる。また、第二厚肉部２２１があることで、雌側帯状基部２２Ａの基材フィルム１１Ａへの接合を効率的に行うことも期待できる。
【００９８】
［第十実施形態］
図２０には本発明の第十実施形態が示されている。
第十実施形態は、第八実施形態とは、雄側帯状基部２１Ａと雌側帯状基部２２Ａとに厚肉部を設けた点が異なるもので、他の構成は第八実施形態と同じである。
図２０において、ジッパーテープ付袋体５Ｆは、袋本体１０と、袋本体１０に取り付けられるジッパーテープ２０Ｆとを備え、ジッパーテープ２０Ｆは、互いに係脱可能とされた雄部材２１Ｆ及び雌部材２２Ｆを備えている。
雄部材２１Ｆは、雄側帯状基部２１Ａのカットテープ５と雄部２１Ｂとの間で独立又は一体に形成された第一厚肉部２１３を備えている。
雌部材２２Ｆは、雌側帯状基部２２Ａのトップシール部１３側の端部に独立又は一体に形成された第二厚肉部２２４を備えている。第二厚肉部２２４は、雌側帯状基部２２Ａの他の部分より厚く形成されており、基材フィルム１１Ａに接合されている。
【００９９】
第一厚肉部２１３と第二厚肉部２２４との断面形状は、図２０では、矩形状であるが、本実施形態に限定されるものではなく、矩形状の他、例えば、三角形状や五角形状等の多角形状、凹面形状、凸面形状等の曲面形状等でも好適に用いることができる。
カットテープ５と第二厚肉部２２４との間には、空隙部Ｓが形成されている。空隙部Ｓにより、ジッパーテープ２０Ｆと袋本体１０とを接合する際に発生する溶融樹脂が側方に広がっても、カットテープ５とジッパーテープ２０Ｆとが一体化してしまうことを防止できる。
【０１００】
第十実施形態では、第八実施形態と同様の効果を奏することができる他、次の効果を奏することが期待できる。
（１９）雄側帯状基部２１Ａに第一厚肉部２１３を形成したので、カットテープ５が雄側帯状基部２１Ａを破断し、基材フィルム１１Ａを引き裂く際に、基材フィルム１１Ａの引き裂かれる方向が雄部２１Ｂ側に向かってしまうことの防止が期待できる。また、第一厚肉部２１３があることで、雄側帯状基部２１Ａの接合の基材フィルム１１Ａへの接合を効率的に行うことも期待できる。
（２０）雌側帯状基部２２Ａに第二厚肉部２２４を形成したので、カットテープ５が雄側帯状基部２１Ａを破断し、基材フィルム１１Ａを引き裂く際に、基材フィルム１１Ａの引き裂かれる方向がトップシール部１３側に向かってしまうことの防止が期待できる。また、第二厚肉部２２４があることで、雌側帯状基部２２Ａの基材フィルム１１Ａへの接合を効率的に行うことも期待できる。
【０１０１】
なお、本発明は前述の各実施形態に限定されるものではなく、本発明の目的を達成できる範囲での変形、改良等は本発明に含まれるものである。
例えば、前記各実施形態では、雄部材２１と雌部材２２とを係合させた状態において、雌側帯状基部２２Ａの一方の幅方向の長さが雄側帯状基部２１Ａよりも一端側に突出して長く延長され、この延長された雌側帯状基部２２Ａに連続する雌側鉤部２２Ｃの鉤領域２２Ｃ１が雌側帯状基部２２Ａの延長された側に向いている構成としたが、本発明では、雄部材２１と雌部材２２との配置位置を逆にし、雄側帯状基部２１Ａの一方の幅方向の長さが雌側帯状基部２２Ａよりも一端側に突出して長く延長され、この延長された雄側帯状基部２１Ａに連続する雌側鉤部２２Ｃの鉤領域が雄側帯状基部２１Ａの延長された側に向いている構成としてもよい。
【０１０２】
さらに、前記各実施形態では、雄部２１Ｂは、雄側帯状基部２１Ａの平面から壁状に突出する首領域２１Ｂ１と、首領域２１Ｂ１から雄側帯状基部２１Ａの幅方向の一側に向けて長手方向に沿って突出し断面三角形状の爪領域２１Ｂ２と、首領域２１Ｂ１から雄側帯状基部２１Ａの幅方向の他側に向けて長手方向に沿って突出し断面が釣り針形状の鉤領域２１Ｂ３とを有する構成としたが、本発明では、雄部の断面形状をボトムシール部１４側とトップシール部１３側とで対称構造としてもよい。
また、ジッパーテープ２０，７０が取り付けられる被取付材は、袋本体１０，１６に限定されるものではなく、例えば、所定の形状を保持できる合成樹脂製の包装容器についても適用できる。
【０１０３】
前記各実施形態では、弱め部分を帯状分離部としてのカットテープ５としたが、本発明では、カットテープ５の態様に限定されるものではない。つまり、弱め部分とは、袋本体を開封するための機構を指し、例えば、袋体に設けた切り取り線、袋体を引裂く引裂き紐等、帯状分離部以外の構成でも好適に用いることができる。
前記各実施形態は、被包装物Ｐが重い場合についての説明であったが、本発明では、ジッパーテープ付袋体１，２，３，４の内圧が外部からの押圧等により高まった場合についても、適用できる。つまり、ジッパーテープ付袋体１，２，３，４の内圧が高まると、前記各実施形態と同様に、雄側帯状基部２１Ａと雌側帯状基部２２Ａとに力（せん断力）が働く。これにより、互いに係合する雄側鉤部２１Ｃと雌側鉤部２２Ｃとの鉤領域同士が強く係合するとともに、雄部２１Ｂと雌部２２Ｂとの係合により、強固な係合状態が得られることになり、ジッパーテープ２０，７０が誤って開放されにくい。
【符号の説明】
【０１０４】
１，２，３，４，５Ａ，５Ｂ，５Ｃ，５Ｄ…ジッパーテープ付袋体、５…カットテープ（帯状分離部：弱め部分）、１０，１６…袋本体、１１Ａ，１１Ｂ…基材フィルム、１２…サイドシール部、１３…トップシール部、１３Ａ…持ち手（把持部）、１４…ボトムシール部、２０，７０，８０…ジッパーテープ、２１，７１…雄部材、２２，７２…雌部材、２１Ａ…雄側帯状基部、２２Ａ…雌側帯状基部、２１Ｂ…雄部、２１Ｂ２…爪領域、２２Ｂ…雌部、２１Ｃ…雄側鉤部、２２Ｃ…雌側鉤部、６１…開封開始部、６２…弱め線（易開封構造）、６３…穴明部分（易開封構造）、１２０…接合部、Ｐ…被包装物
【図１】
2016114303.tif 000003
【図２】
2016114303.tif 000004
【図３】
2016114303.tif 000005
【図４Ａ】
2016114303.tif 000006
【図４Ｂ】
2016114303.tif 000007
【図５】
2016114303.tif 000008
【図６】
2016114303.tif 000009
【図７】
2016114303.tif 000010
【図８】
2016114303.tif 000011
【図９】
2016114303.tif 000012
【図１０】
2016114303.tif 000013
【図１１】
2016114303.tif 000014
【図１２】
2016114303.tif 000015
【図１３】
2016114303.tif 000016
【図１４】
2016114303.tif 000017
【図１５】
2016114303.tif 000018
【図１６】
2016114303.tif 000019
【図１７】
2016114303.tif 000020
【図１８】
2016114303.tif 000021
【図１９】
2016114303.tif 000022
【図２０】
2016114303.tif 000023
【国際調査報告】
2016114303.tif 000024
2016114303.tif 000025
2016114303.tif 000026
2016114303.tif 000027